(57)【要約】【課題】  コンテンツと広告を関連させながら常に最新の広告を再生させることで広告の効果を向上およびコンテンツの流通を高める。【解決手段】  暗号化されたコンテンツ２０を提供するコンテンツ提供手段２と、広告情報を提供する広告提供手段３と、暗号化コンテンツを復号するための復号化鍵情報を提供する権利付与手段４と、コンテンツに関する情報、記事の書込みや閲覧機能を提供する記事記録提供手段５と、コンテンツの広告活動に参加する利用者の管理を提供する広告活動参加者管理手段６と暗号化コンテンツを再生するクライアント端末１から構成され、クライアント端末１は暗号化されたコンテンツ２０を再生する前に広告提供手段３から提供される広告情報をストリーミング再生し、広告情報の再生が完了した後コンテンツの再生を実行し、コンテンツの再生が終了した後、記事記録提供手段５に記事の一部として書き込む。【選択図】        図３
2008186215.tif 000002
【特許請求の範囲】
【請求項１】
暗号化されたコンテンツを含む配信情報を提供するコンテンツ提供手段と、
広告情報を提供する広告提供手段と、
暗号化されたコンテンツを復号するための鍵情報を提供する権利付与手段と、
コンテンツに関する情報、記事の書込みや閲覧機能を提供する記事記録提供手段と、
コンテンツの広告活動に参加する利用者の管理を提供する広告活動参加者管理手段と、
コンテンツ再生ドライバを用いて、コンテンツの再生を実行する端末と
から構成され、
前記端末はコンテンツを再生する前に前記広告提供手段から提供される広告情報をストリーミング再生し、広告情報の再生が完了したことを条件としてコンテンツの再生を実行し、コンテンツの再生が終了した後、前記記事記録提供手段に記事の一部として書き込むことができる、記録書込み用識別情報を表示することを特徴とするコンテンツ流通システム。
【請求項２】
前記配信情報は、広告情報取得用宛先情報とコンテンツの広告活動に参加する利用者を識別する情報とを含み、
前記端末は、この広告情報取得用宛先情報が指定する前記広告提供手段にコンテンツの広告活動に参加する利用者を識別する情報を通知するとともにアクセスして取得した広告情報をストリーミング再生することを特徴とする請求項１に記載のコンテンツ流通システム。
【請求項３】
前記配信情報は、暗号を復号するための鍵情報取得用宛先情報を含み、
前記端末は、この鍵情報取得用宛先情報が指定する前記権利付与手段にアクセスして取得した復号化鍵を用いて復号することを特徴とする請求項１に記載のコンテンツ流通システム。
【請求項４】
前記記録書込み用識別情報は、広告情報取得用宛先情報とコンテンツの広告活動に参加する利用者を識別する情報とを含み、
前記端末は、前記記事記録提供手段に書き込まれた記録書込み用識別情報を記事の閲覧者がクリックすることにより、当該記録書込み用識別情報に含まれる広告情報取得用宛先情報が指定する前記広告提供手段にアクセスし、コンテンツの広告活動に参加する利用者を識別する情報を通知するとともに広告情報およびコンテンツを取得しながらストリーミング再生し、
前記コンテンツ提供手段は、前記端末からの前記コンテンツの広告活動に参加する利用者を識別する情報を含むコンテンツダウンロード要求により、前記配信情報に含まれるコンテンツの広告活動に参加する利用者を識別する情報を、コンテンツダウンロード要求に含まれるコンテンツの広告活動に参加する利用者を識別する情報に置き換え管理し、前記端末に送信することを特徴とする請求項１に記載のコンテンツ流通システム。
【請求項５】
前記記録書込み用識別情報に含まれるコンテンツの広告活動に参加する利用者を識別する情報は、利用者の要求に応じて前記広告参加者管理手段で管理され、
既に前記広告参加者管理手段で管理されているコンテンツの広告活動に参加する利用者を識別する情報を有する利用者が前記コンテンツを再生した場合には、前記端末に表示する記録書込み用識別情報に含まれるコンテンツの広告活動に参加する利用者を識別する情報は当該利用者の情報とし、
前記広告参加者管理手段で管理されていない利用者が前記コンテンツを再生した場合には、前記端末に表示する記録書込み用識別情報に含まれるコンテンツの広告活動に参加する利用者を識別する情報は、前記配信情報に含まれているコンテンツの広告活動に参加する利用者を識別する情報とすることを特徴とする請求項１に記載のコンテンツ流通システム。
【請求項６】
前記広告提供手段に通知されるコンテンツの広告活動に参加する利用者を識別する情報は、前記広告提供手段より前記広告参加者管理手段に通知し、前記広告参加者管理手段で集計することを特徴とする請求項１に記載のコンテンツ流通システム。
【請求項７】
前記配信情報には、前記コンテンツ再生用ドライバを前記端末にインストールする手段を含むことを特徴とする請求項１に記載のコンテンツ流通システム。
【請求項８】
暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成されるコンテンツ流通システムにおけるコンテンツ再生方法であって、
前記端末は、前記コンテンツ提供手段から前記配信情報をダウンロードして、この配信情報の再生を起動し、
前記配信情報は前記端末内にコンテンツ再生用ドライバの有無を検出し、コンテンツ再生用ドライバが存在しない場合にはコンテンツ再生用ドライバを前記端末にインストールし、
コンテンツ再生用ドライバは、前記配信情報に含まれる鍵情報取得用宛先情報を参照して前記権利付与手段から復号化鍵を取得するとともに、広告情報取得用宛先情報を参照して前記広告提供手段から取得した広告情報をストリーミング再生し、
広告情報のストリーミング再生が完了した場合には前記配信情報に含まれる暗号化されたコンテンツを前記復号化鍵で復号しながら再生し、ストリーミング再生が完了せずに終了した場合には前記暗号化されたコンテンツの再生を中止することを特徴とするコンテンツ再生方法。
【発明の詳細な説明】
【技術分野】
【０００１】
本発明は、コンテンツサーバ等のコンテンツ提供手段からダウンロードした暗号化コンテンツやCD等の記録媒体に記録されている暗号化コンテンツを再生する前に広告情報をストリーミング再生し、広告情報の再生が完了したことを条件として暗号化コンテンツを再生するコンテンツ再生システムにおいて、ブログに代表されるコンテンツに関しての評価記事の書込み、閲覧機能を提供する記事記録提供手段上で、評価記事とコンテンツとの対応を容易にとれる方法を提供するとともに、評価記事を記録・閲覧提供手段に書込んだ利用者を広告活動参加者として管理し、広告活動状況に応じて評価可能とすることで広告活動意欲を高め、コンテンツの流通を促進させるコンテンツ流通システムとコンテンツ再生方法に関する。
【背景技術】
【０００２】
コンテンツと広告の再生を行う第１の従来技術には、広告の再生を条件としてコンテンツをダウンロードする方法がある（特許文献１）。これは、情報端末がコンテンツのダウンロードを要求する場合には、予め広告表示を行い、広告表示が所定の条件を満たす場合にコンテンツをダウンロードするものである。
【０００３】
またコンテンツと広告の再生を行う第２の従来技術には、コンテンツに含まれる広告を再生してからコンテンツを再生するものがある（特許文献２）。これは、広告情報とその属性が含まれたコンテンツを受信・記録し、そのコンテンツ再生時に上記属性情報に基づいて広告の差し替え要否を判断し、要の場合には新たな広告を取得してコンテンツに含まれる広告を差し替えてからコンテンツを再生することで、いつも新鮮な広告を視聴させることで広告効果を向上させるものである。
【特許文献１】特開２００１−３１２６５２号公報
【特許文献２】特開２００５−１５６９９６号公報
【発明の開示】
【発明が解決しようとする課題】
【０００４】
さらに、コンテンツの流通を行う方法には、コンテンツのおいてある場所を示す宛先情報（URL：Universal Resource Locator）をリンク情報として、ブログ、Web掲示板などに記述する方法があるが、広告再生を条件としてコンテンツを再生するシステムとは連携しておらず広告再生を前提とするコンテンツの流通には適用できないという欠点、およびブログ、Web掲示板に書込んだ利用者への書込みを広告活動として評価する形態とはなっておらず、利用者の書込み意欲を高めることができないという欠点があった。またコンテンツの著作権保護を目的としてコンテンツ識別情報を付与する方法があるが、この方法も広告再生を条件としてコンテンツを再生するシステムとは連携しておらず広告再生を前提とするコンテンツの流通には適用できないという欠点があった。
【０００５】
第１の従来技術は、広告情報の再生が完了した後にコンテンツのダウンロードを行うから、コンテンツの内容と広告内容を関連させることができず、コンテンツの流通価値を高めるような広告を行うことはできないという欠点があった。つまり売り難いコンテンツを広告とセットにすることで売り上げを伸ばしたり、広告を行うことでコンテンツの流通を促進させることができないという欠点があった。
【０００６】
第２の従来技術では、広告情報がコンテンツと一緒に記録されているから、第１の従来技術とは逆にコンテンツと広告の関連性が強すぎるので、広告はコンテンツの付属にすぎず、やはり広告の価値を高めることができないので、第１の従来技術と同様に広告によってコンテンツの流通を促進できないという欠点があった。また、このようなコンテンツ埋め込み型広告では、広告情報自体の権利を守ることができないという欠点があった。
【０００７】
さらに、いずれの従来技術でも、著作権を保護するためにコンテンツを他人に簡単に流通できず、コンテンツの自然流通が妨げられるという欠点もあった。
【０００８】
また、従来のブログやWeb掲示板に評価記事を書いたとしても、膨大な閲覧数が期待できないコンテンツには広告主が付きにくく広告収入によるコンテンツビジネスが難しいという欠点があった。
【０００９】
本発明は、コンテンツと広告を関連させながら常に最新の広告を再生させることで広告の効果を向上させ、それによってコンテンツの流通を促進させることが可能な新規なコンテンツ再生システムを提供することを目的とする。また、個人間の自然流通を活用することが可能なコンテンツ再生システムを提供することを目的とする。
【００１０】
また、本発明は、ブログに代表されるコンテンツに関する記事の書込み・閲覧機能を提供する記事記録提供手段を使っての広告活動をやりやすくするとともに、ブログ参加者の広告活動意欲を向上させることによりコンテンツの流通を促進させ、さらに広告管理サーバが数多くあるコンテンツの閲覧をまとめて動的に管理することにより、1コンテンツあたりの閲覧数は少なくてもコンテンツを数多く用意することで全体の閲覧数を向上させることができ、広告収入によるコンテンツビジネスが実現しやすくなるコンテンツ流通システムを提供することを目的とする。
【課題を解決するための手段】
【００１１】
本発明の請求項１に記載されたコンテンツ流通システムの発明では、暗号化されたコンテンツを含む配信情報を提供するコンテンツ提供手段と、広告情報を提供する広告提供手段と、暗号化されたコンテンツを復号するための鍵情報を提供する権利付与手段と、コンテンツに関する情報、記事の書込みや閲覧機能を提供する記事記録提供手段と、コンテンツの広告活動に参加する利用者の管理を提供する広告参加者管理手段と、コンテンツ再生ドライバを用いて、コンテンツの再生を実行する端末とから構成され、
端末はコンテンツを再生する前に前記広告提供手段から提供される広告情報をストリーミング再生し、広告情報の再生が完了したことを条件としてコンテンツの再生を実行し、コンテンツの再生が終了した後、記事記録提供手段に記事の一部として書き込むことができる、記事書込み用識別情報を表示することを特徴とする。
【００１２】
本発明の請求項２に記載されたコンテンツ流通システムの発明では、配信情報は広告情報取得用宛先情報とコンテンツの広告活動に参加する利用者を識別する情報とを含み、端末は、この広告情報取得用宛先情報が指定する広告提供手段にコンテンツの広告活動に参加する利用者を識別する情報を通知するとともにアクセスして取得した広告情報をストリーミング再生することを特徴とする。
【００１３】
本発明の請求項３に記載されたコンテンツ流通システムの発明では、配信情報は暗号を復号するための鍵情報取得用宛先情報を含み、端末は、この鍵情報取得用宛先情報が指定する権利付与手段にアクセスして取得した復号化鍵を用いて復号することを特徴とする。
【００１４】
本発明の請求項４に記載されたコンテンツ流通システムの発明では、記事書込み用識別情報は、広告情報取得用宛先情報とコンテンツの広告活動に参加する利用者を識別する情報とを含み、端末は、記事記録提供手段に書き込まれた記事書込み用識別情報を記事閲覧者がクリックすることにより、当該記事書込み用識別情報に含まれる広告情報取得用宛先情報が指定する広告提供手段にアクセスし、コンテンツの広告活動に参加する利用者を識別する情報を通知するとともに広告情報およびコンテンツを取得しながらストリーミング再生し、コンテンツ提供手段は、端末からのコンテンツの広告活動に参加する利用者を識別する情報を含むコンテンツダウンロード要求により、前記配信情報に含まれるコンテンツの広告活動に参加する利用者を識別する情報を、コンテンツダウンロード要求に含まれるコンテンツの広告活動に参加する利用者を識別する情報に置き換え管理し、前記端末に送信することを特徴とする。
【００１５】
本発明の請求項５に記載されたコンテンツ流通システムの発明では、記事書込み用識別情報に含まれるコンテンツの広告活動に参加する利用者を識別する情報は、利用者の要求に応じて広告参加者管理手段で管理され、既に広告参加者管理手段で管理されているコンテンツの広告活動に参加する利用者を識別する情報を有する利用者がコンテンツを再生した場合には、端末に表示する記事書込み用識別情報に含まれるコンテンツの広告活動に参加する利用者を識別する情報は当該利用者の情報とし、広告参加者管理手段で管理されていない利用者がコンテンツを再生した場合には、端末に表示する記事書込み用識別情報に含まれるコンテンツの広告活動に参加する利用者を識別する情報は、配信情報に含まれているコンテンツの広告活動に参加する利用者を識別する情報とすることを特徴とする。
【００１６】
本発明の請求項６に記載されたコンテンツ流通システムの発明では、広告提供手段に通知されるコンテンツの広告活動に参加する利用者を識別する情報は、広告提供手段より広告参加者管理手段に通知し、広告参加者管理手段で集計することを特徴とする。
【００１７】
本発明の請求項７に記載されたコンテンツ流通システムの発明では、例えばコンテンツ提供手段にはコンテンツ再生用ドライバソフトを含み、配信情報には端末にコンテンツ再生ドライバソフトをインストールする機能を含むことを特徴とする。
【００１８】
本発明の請求項８に記載された発明では、暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成されるコンテンツ再生システムにおけるコンテンツ再生方法であって、前記端末は前記コンテンツ提供手段から前記配信情報をダウンロードして、この配信情報の再生を起動し、前記配信情報は前記端末内にコンテンツ再生用ドライバの有無を検出し、コンテンツ再生用ドライバが存在しない場合にはコンテンツ再生用ドライバを前記端末にインストールし、コンテンツ再生用ドライバは、前記配信情報に含まれる鍵情報取得用宛先情報を参照して前記権利付与手段から復号化鍵を取得するとともに、広告情報取得用宛先情報を参照して前記広告提供手段から取得した広告情報をストリーミング再生し、広告情報のストリーミング再生が完了した場合には前記配信情報に含まれる暗号化されたコンテンツを前記復号化鍵で復号しながら再生し、ストリーミング再生が完了せずに終了した場合には前記暗号化されたコンテンツの再生を中止することを特徴とする。
【発明の効果】
【００１９】
本発明の請求項１のコンテンツ流通システムの発明によれば、コンテンツを再生する前にコンテンツ提供手段とは異なる広告提供手段から広告をストリーミング再生することにより、常に最新の広告を再生することができるので、広告効果を高めることができる上に、コンテンツの再生が終了した後、記事記録提供手段に記事の一部として書き込むことができる、記事書込み用識別情報を表示するので、利用者はその情報とともに容易に記事記録提供手段に書き込むことができ、記事記録提供手段を介した広告の再生を伴うコンテンツの流通が促進される。
【００２０】
本発明の請求項２のコンテンツ流通システムの発明によれば、配信情報は広告情報取得用宛先情報とコンテンツの広告活動に参加する利用者を識別する情報とを含み、端末は、この広告情報取得用宛先情報が指定する広告提供手段にアクセスするので、コンテンツと広告情報を関連付けることができ、例えば売上の大きいコンテンツには高い広告料金を設定することが可能になるので、コンテンツビジネスを実行し易い効果がある。また逆に、売上の少ないコンテンツでも広告料金の徴収を組み合わせることで低料金か無料でコンテンツを配布することができ、コンテンツの流通を促進することができる。また、広告提供手段にアクセスする時、コンテンツの広告活動に参加する利用者を識別する情報を通知するので、そのコンテンツへのアクセスのきっかけとなったコンテンツを広めた利用者を管理することができ、例えば多くのコンテンツを広めた利用者にはそれに見合った報酬を設定するなど、コンテンツの広告活動意欲を高めることができ、コンテンツの流通を促進することができる。
【００２１】
本発明の請求項３のコンテンツ流通システムの発明によれば、配信情報には暗号化を復号するための鍵情報取得用宛先情報を含み、端末は、この鍵情報取得用宛先情報が指定する権利付与手段にアクセスして取得した復号化鍵を用いて暗号を復号するので、権利付与手段で復号化鍵を随時更新することが可能となり、端末ではいわゆるワンタイムパスワードを使用するのと同じ効果があるため、セキュリティ効果を向上させることができる。
【００２２】
本発明の請求項４のコンテンツ流通システムの発明によれば、前記記事書込み用識別情報は、広告情報取得用宛先情報とコンテンツの広告活動に参加する利用者を識別する情報とを含み、前記端末は、前記記事記録提供手段に書き込まれた記事書込み用識別情報を記事閲覧者がクリックすることにより、当該記事書込み用識別情報に含まれる広告情報取得用宛先情報が指定する前記広告提供手段にアクセスし、コンテンツの広告活動に参加する利用者を識別する情報を通知するとともに広告情報およびコンテンツを取得しながらストリーミング再生するので、記事閲覧者は容易に広告情報およびコンテンツをストリーミング再生できるとともに、記事記録提供手段に書き込んだコンテンツの広告活動に参加する利用者を識別する情報が前記広告提供手段に通知されるので、記事記録提供手段にコンテンツに関する書込みを行うことによりコンテンツを広めた利用者を管理することができ、例えば数多く閲覧された場合はその分コンテンツを広めたという評価が可能となり、報酬を増やすなどにより、広告活動意欲を向上させることができる。
【００２３】
また、コンテンツ提供手段は、端末からのコンテンツの広告活動に参加する利用者を識別する情報を含むコンテンツダウンロード要求により、配信情報に含まれるコンテンツの広告活動に参加する利用者を識別する情報を、コンテンツダウンロード要求に含まれるコンテンツの広告活動に参加する利用者を識別する情報に置き換え、前記端末に送信するので、コンテンツをダウンロードするきっかけとなったコンテンツの広告活動に参加する利用者を識別する情報を含んだ配信情報となり、その後配信情報を再生する場合に、広告情報提供手段にコンテンツの広告活動に参加する利用者を識別する情報が通知されるので、コンテンツを広めた利用者の管理が可能となる。
【００２４】
本発明の請求項５のコンテンツ流通システムの発明によれば、記事書込み用識別情報に含まれるコンテンツの広告活動に参加する利用者を識別する情報は、利用者の要求に応じて広告参加者管理手段で管理され、既に広告参加者管理手段で管理されているコンテンツの広告活動に参加する利用者を識別する情報を有する利用者がコンテンツを再生した場合には、端末に表示する記事書込み用識別情報に含まれるコンテンツの広告活動に参加する利用者を識別する情報は当該利用者の情報とし、広告参加者管理手段で管理されていない利用者がコンテンツを再生した場合には、端末に表示する記事書込み用識別情報に含まれるコンテンツの広告活動に参加する利用者を識別する情報は、配信情報に含まれているコンテンツの広告活動に参加する利用者を識別する情報とするので、広告活動に参加する利用者が記事記録提供手段に書込む場合には自分のコンテンツの広告活動に参加する利用者を識別する情報となり、広告活動意欲を向上させることができる。また広告活動に参加しない利用者が記事記録提供手段に書込む場合には、すでに設定されていたコンテンツの広告活動に参加する利用者を識別する情報が設定されるので、広告活動に参加しない利用者が記事記録提供手段に書込んでも、既に設定されていたそのコンテンツに対応するコンテンツの広告活動に参加する利用者の成果となり、広告活動意欲を向上させることができる。
【００２５】
本発明の請求項６のコンテンツ流通システムの発明によれば、広告提供手段に通知されるコンテンツの広告活動に参加する利用者を識別する情報は、広告提供手段より広告参加者管理手段に通知し、広告参加者管理手段で集計するので、例えば広告活動参加者単位に通知回数に応じた報酬の決定、コンテンツ対応の広告活動状況の把握などが可能となる。広告提供手段より広告参加者管理手段に通知する方法は、逐次通知する方法、日、週、月等の単位で通知する方法があるが、いずれの方法も本発明に含まれる。また、広告活動参加者に、広告参加者管理手段への活動状況問い合わせ機能を用意すれば広告活動参加者は自分の状況を把握することができ、より広告活動の意欲を向上させることができる。この機能も本発明に含まれる。
【００２６】
本発明の請求項７のコンテンツ流通システムの発明によれば、コンテンツ再生用ドライバソフトを端末に自動的にインストールすることができるので、ユーザの利便性を向上させることができる。
【００２７】
本発明の請求項８のコンテンツ再生方法の発明によれば、端末はコンテンツ提供手段から配信情報をダウンロードして、この配信情報の再生を起動し、配信情報は端末内にコンテンツ再生用ドライバの有無を検出し、コンテンツ再生用ドライバが存在しない場合にはコンテンツ再生用ドライバを前記端末にインストールし、コンテンツ再生用ドライバは、配信情報に含まれる鍵情報取得用宛先情報を参照して権利付与手段から復号化鍵を取得するとともに、広告情報取得用宛先情報を参照して広告提供手段から取得した広告情報をストリーミング再生し、広告情報のストリーミング再生が完了した場合には配信情報に含まれる暗号化されたコンテンツを復号化鍵で復号しながら再生し、ストリーミング再生が完了せずに終了した場合には暗号化されたコンテンツの再生を中止するように構成されるので、コンテンツを再生する前にコンテンツ提供手段とは異なる広告提供手段から広告をストリーミング再生することにより、常時最新の広告を再生させることができ、広告効果をより高めることができる。
【００２８】
また、広告の再生はダウンロードではなくストリーミングにより行うので、広告情報自体の権利を保護することができる。さらに広告の再生が完了しない限りコンテンツの再生を開始しないようにしたので、コンテンツの再生回数と広告の再生回数を同一にでき、コンテンツの著作権と広告料との対応付けが可能になり、広告料金の一部を確実に著作権者に支払うことができる。
【発明を実施するための最良の形態】
【００２９】
図１は本発明のコンテンツ流通システムの構成を示す図である。１はユーザがコンテンツを再生するためのクライアント端末でパソコンの使用が可能であるがそれには限定されず、コンテンツの再生、記事記録提供手段への閲覧、書込みのアクセス機能を実現する携帯電話などの携帯端末、テレビと接続してネットワークへのアクセスを実現しているセットトップボックスでも可能である。なお、以下ではクライアント端末のことを単にクライアントと記載する。
【００３０】
２は配信情報（コンテンツともいう）２０を保存し、クライアント１からの要求に応じてコンテンツを提供するコンテンツ提供手段であり、コンテンツサーバを用いるのが典型例であり、サーバタイプを中心に説明する。配信情報２０には、コンテンツと、それ以外にも多様な情報を含むが、これについては後述する。３は広告情報を保存し、クライアント１からの要求に応じて広告情報を提供する広告提供手段であり、広告サーバを用いるのが典型例である。４は暗号化されたコンテンツを復号化するための復号化鍵等を含む権利情報４０を保存し、クライアント１からの要求に応じて権利情報４０を提供する権利付与手段であり、これもサーバタイプを中心に説明する。権利情報４０の詳細は後述する。
【００３１】
５はコンテンツ関する記事の書込みや閲覧機能を提供する記事記録提供手段であり、ブログサーバを用いるのが典型例であるがそれには限定されず同様の機能を提供するホームページやコンテンツ管理システムと呼ばれるシステムが利用可能であり、いずれも本発明に含まれる。ここでは典型例であるブログサーバタイプを中心に説明し以降ではブログと記載する。６は広告活動に参加する利用者を管理する広告活動参加者管理手段であり、広告活動参加者管理サーバを用いるのが典型例であり、ここではサーバタイプを中心に説明する。７はブログにブログ利用者が書き込む記事で、ブログ利用者の評価記事などと一緒に記事書込み用識別情報（以降タグと記載する）３０を書き込むことができる。
【００３２】
８はネットワークであり、例えばインターネットが好適であるがそれには限定されない。ここではコンテンツ提供手段であるコンテンツサーバ２、広告提供手段である広告サーバ３、権利情報付与手段である権利サーバ４、記事記録提供手段であるブログサーバ５、広告活動者管理手段である広告活動参加者管理サーバ６を全て異なるサーバ、つまり異なるハード装置で構成する例を示したが、もちろんそれには限定されない。１つのサーバの中に、コンテンツ提供手段２、広告提供手段３、権利化付与手段４、記事記録提供手段５、広告活動参加者管理手段６を含めて構成することもできる。要するに、これらの手段を機能的に備えていればよく、ハード構成やサーバの設置位置には限定されない。
【００３３】
クライアント１がコンテンツサーバ２からコンテンツを取得して再生する場合には、クライアント１はネットワーク８を介してコンテンツサーバ２にアクセスして配信情報２０を取得し、この配信情報を起動する。配信情報２０の中には広告サーバ３にアクセスするための広告情報取得用情報、例えば広告サーバ３のURLが含まれるので、クライアント１は広告サーバ３にアクセスして広告情報をストリーミング再生する。この再生条件は権利化サーバ４からダウンロードした権利情報４０に含まれているので、その再生条件に合致した広告再生が行われたか否かをチェックし、行われた場合には配信情報２０に含まれる鍵情報取得用宛先情報に基づいて権利サーバ４にアクセスして暗号を復号化するための復号化鍵を取得し、その復号化鍵で暗号化されたコンテンツを復号しながら再生する。
【００３４】
この鍵情報取得用宛先情報とは例えば権利サーバ４のＵＲＬが相当する。もし、広告の再生が再生条件を満足するように行われなかった場合、コンテンツの再生を中止・終了する。以上がコンテンツサーバ２からコンテンツをダウンロードする場合であるが、例えば友人等から入手したＤＶＤ等の記録媒体を再生する場合も基本動作は同一である。この場合は、記録媒体の中に広告情報取得用宛先情報や鍵情報取得用宛先情報、暗号化されたコンテンツが記録されていることが必要である。コンテンツの再生が完了したら、配信情報２０の中に含まれるタグをクライアント１に表示する。
【００３５】
図２はクライアント１の構成を示す図である。１１は配信情報を処理するための配信情報処理ドライバ（以下ドライバという）である。１２はドライバに設けた保護エリアである。暗号化したコンテンツを復号化しながら再生するが、この処理はコンテンツを保護エリア１２の中に含めた状態で行う。これは、再生中のコンテンツを第三者から不正に取得されないための処置である。つまり、再生中のコンテンツは暗号化されておらずノーガードの状態で再生されるので、再生中コンテンツを不正にキャプチャされるとコンテンツが不正に複製される危険があるが、それを防止するために復号化されたコンテンツがキャプチャ困難な保護エリア１２内で再生を行う。これに関する処理方法は本発明の骨子ではないが、例えば特開２００５−２１５７８７号公報や特開２００５−２２７９９０号公報に記載の技術を用いることができる。このドライバは、例えばコンテンツサーバ２からダウンロードすることができる。
【００３６】
１３はコンテンツを再生するためのプレイヤーであり、パソコンで通常使用される各種のプレイヤーソフトやＷｅｂブラウザソフトが使用できる。１４は入出力部、１５はクライアントの全体の動作を制御する制御部である。プレイヤー１３は汎用のソフトだが、ドライバ１１からの制御によって本発明特有の動作を行う。例えば、広告再生中は早送りや終了の機能を無効にして（典型的には早送りボタン終了ボタンを選択できなくする）、広告を必ず最後まで視聴するようにすることができる。また再生のために復号化したコンテンツファイルはクライアント１内に残さないようにしてコンテンツの不正コピーを防止したり、コンテンツファイルの別名保存を禁止することができる。さらに、コンテンツ再生前に権利サーバ４にアクセスして再生許可を求め、許可を得たときのみ再生が可能になるようにしてコンテンツの権利を守ることもできる。
【００３７】
図３は本発明のブログに書き込む利用者が使用するクライアント１での動作手順を示す図である。まず再生すべきコンテンツを含む配信情報２０を入手する（工程S１）。コンテンツサーバ２からオンラインで入手する方法と、CD、DVD等の記録媒体で入手する方法があるが、その方法は問わない。いずれの場合も本発明に含まれる。クライアント１では入手した配信情報２０を起動する（工程S２）。起動は通常は配信情報のアイコンをダブルクリックする場合が多いが、起動方法は問わない。配信情報２０が起動されたらその配信情報２０は当該クライアントの中にドライバが含まれているか否かを検出する（工程S３）。もし含まれていなければクライアント１は配信情報２０の中に含まれるドライバ保存先アドレスに自動的にアクセスしてドライバをダウンロードし、そのドライバをインストールする（工程S４）。ユーザの手を借りずにドライバを自動的にインストールすることにより、例えば記録媒体を知人から譲り受けた場合でも簡単に再生することができる。これが本発明の１つの特徴である。
【００３８】
クライアント１内のドライバ１１は、コンテンツの広告活動に参加しているかどうかを判断し（工程S５）、広告活動に参加していない場合は利用者に広告活動に参加するかどうか問合せ（工程S６）、参加する場合は広告活動者管理サーバ６に、利用者登録するとともに広告活動者識別子を入手する（工程S７）。
【００３９】
クライアント１内のドライバ１１は、起動した暗号化コンテンツに含まれる鍵情報取得用宛先情報、つまり権利サーバ４を特定するＵＲＬ等を読み取り、そのＵＲＬに基づいて権利サーバ４にアクセスし、暗号を解読するための復号化鍵やコンテンツ再生条件、広告再生条件等を含む権利情報４０をダウンロードする（工程Ｓ８）。再生しようとするコンテンツが違法なもの、間違いや不適切な表現を含む等の理由により再生に適さないコンテンツの場合には、権利サーバ４は再生を不許可にすることができる。このように、権利情報４０に含まれるコンテンツ再生条件に基づいて、コンテンツの再生の許可／不許可をチェックし（工程Ｓ９）、不許可の場合には再生動作を終了し、許可の場合にはさらに再生動作を続行する。なお、不許可の場合のように、中途段階での処理中止によってコンテンツファイルに問題が生じた場合には、このコンテンツを無効化することができる。
【００４０】
コンテンツ再生条件のチェックは、権利情報４０に含まれるコンテンツ再生条件を用いるだけでなく、権利サーバ４にアクセスして再生許可を受けるような方法を用いることもできる。再生許可を得て再生動作を続行する場合には、再生しようとする暗号化コンテンツをドライバの保護エリア１２に移す（工程Ｓ１０）。暗号化コンテンツを保護エリア内で動作させることにより、再生中のコンテンツを違法にキャプチャされることを防止することができ、コンテンツの権利を守ることができる。また、広告情報自体の権利を保護することもできる。次にドライバ１１は配信情報２０に含まれる広告情報取得用宛先情報である広告サーバ３のＵＲＬを読み取り、広告サーバ３に配信情報２０に含まれる広告活動者識別子を通知し、広告情報の転送を要求する（工程S１１）。
【００４１】
コンテンツを再生するためのプレイヤー１３を起動し広告情報をストリーミング再生する（工程Ｓ１２）。広告情報をダウンロードではなく、ストリーミング再生することにより、常時最新の広告を再生することができるので広告効果を向上させることができる。
【００４２】
所定の広告再生条件を満足するように広告のストリーミング再生が行われたかどうかをチェックし（工程Ｓ１３）、満足しない場合にはコンテンツの再生動作を中止・終了し、満足する場合にはコンテンツの再生を行う（工程Ｓ１４）。工程Ｓ１３における広告再生条件のチェックは、工程Ｓ８で権利サーバ４からダウンロードした広告再生条件に基づいて行われる。もちろん、再生の都度ダウンロードする必要はなく、予め取得・記憶しておいた広告再生条件を用いることもできるが、その都度ダウンロードする態様にすれば、広告再生条件を随時変更することができるので、さらに便利である。工程Ｓ１４におけるコンテンツの再生は、ドライバの保護エリア１２に格納した暗号化コンテンツを復号化しながらプレイヤー１３で再生することにより行うが、復号化したコンテンツはメモリ内に残さないようにすることがセキュリティ上望ましい。このようなセキュリティ対策は本発明の骨子ではなく、例えば特開２００５−２１５７８７号公報に記載されているような既存の技術を利用することができる。
【００４３】
コンテンツ再生終了後、広告活動者管理サーバ６に広告活動者として登録し広告活動者識別子を所有しているか判断し（工程S１５）、所有している場合はブログ貼り付け用タグの中の広告活動者識別子を自分のものと入れ替え（工程S１６）、ブログ貼り付け用タグをクライアント１に表示する（工程S１７）。工程S１５で広告活動者識別子を有していない場合、すなわち広告活動者として登録していない場合は配信情報に含まれている広告活動者識別子をそのままクライアント１に表示する。
【００４４】
利用者はブログに当該コンテンツに関する記事を書込むかどうか判断し（工程S１８）、書込む場合はクライアント１に表示されているブログ貼り付け用タグをブログ記事とともにブログに書込む（工程S１９）。ブログ貼り付け用タグの書き込みはクライアント１に表示されているタグをコピーし、貼り付ける方法と、キーボードなどの入力手段で入力する方法があるが、その方法は問わない。いずれの場合も本発明に含まれる。
【００４５】
図４はブログを閲覧する利用者が利用するクライアント１での動作手順である。利用者がブログに書き込まれた記事を閲覧し（工程S３１）、その記事内容に興味を持ちコンテンツを再生したい場合には（工程S３２）、記事と共に記載されているタグをクリックする（工程S３３）。クライアント１からタグ内の情報に基づき広告サーバ３に広告活動者識別子と配信情報を識別する情報を通知すると（工程S３４）、広告サーバ３からコンテンツプレイヤー制御情報が送信されてくるのでそれを受信し（工程S３５）、クライアント１はコンテンツプレイヤー１３を起動し、プレイヤー制御情報に基づき広告情報をストリーミング再生する（工程S３６）。引き続きコンテンツプレイヤー１３はプレイヤー制御情報に基づきコンテンツをストリーミング再生する（工程S３７）。このコンテンツプレイヤー１３はパソコンで通常使用される各種のプレイヤーソフトやWebブラウザソフトが使用できるし、プレイヤー制御情報も各プレイヤー対応に利用されているプレイヤー制御情報をそのまま利用できる。
【００４６】
コンテンツのストリーミング再生が完了したら、ドライバ１１はクライアント１に配信情報のダウンロード指示を利用者から受け付けるためのダウンロードボタンを表示する（工程S３８）。ダウンロードボタンが押下されると（工程S３９）、クライアント１はタグ内の情報に基づきコンテンツサーバ２に広告活動者識別子と配信情報を識別する情報を通知する（工程S４０）。コンテンツサーバ２は対応する管理している配信情報２０内の広告利用者識別子を、受信した広告活動者識別子に置き換え、置き換えた広告活動者識別子を含む配信情報を送信するのでクライアント１はそれを受信する（工程S４１）。
【００４７】
図５は、本発明で用いる配信情報２０の構成例を示す図である。配信情報２０は、暗号化コンテンツ２１、広告情報取得用宛先情報やタグに関する情報等を含む制御情報２２、ドライバを入手するための実行プログラム２３から構成される。実行プログラム２３の中にはドライバ入手先宛先情報を有しているのはもちろんである。
【００４８】
図６は、本発明で用いるタグ３０の構成例を示す図である。３１は配信情報を一意に特定するための配信情報特定情報、３２は広告活動者識別子である。３３は広告情報取得用宛先情報を含む制御情報である。
【００４９】
図７は、本発明で用いる権利情報４０の構成の例を示す図である。４１は暗号化されたコンテンツを復号するための復号化鍵、４２は広告再生条件、４３はコンテンツ再生条件、４４はコンテンツ再生制御情報である。復号化鍵４１はコンテンツの暗号化に使用された暗号鍵と関連して生成されたもので、共通鍵暗号化方式を用いる場合には暗号鍵と同一の鍵を使用し、公開鍵暗号化方式を用いる場合には暗号化鍵とペアで生成される鍵を用いる。広告再生条件４２は、コンテンツの再生前に広告をストリーミング再生する際の条件を示したもので、クライアント１はこの条件を参照して広告が正常に再生されたか否かを判断する。コンテンツ再生条件４３は、コンテンツの再生期間や再生回数等の条件や、配信したファイルに誤りがあったような場合に再生を中止させるような内容が含まれる。
【産業上の利用可能性】
【００５０】
本発明は、本発明は、コンテンツと広告とを関連させながら常に最新の広告を再生させるシステムとして用いることができる。
【図面の簡単な説明】
【００５１】
【図１】本発明のシステム構成を示す図である。
【図２】本発明のクライアントの構成を示す図である。
【図３】本発明のコンテンツ再生、ブログ書込み時の動作手順を示す図である。
【図４】本発明のブログ閲覧時の動作手順を示す図である。
【図５】本発明の配信情報の構成例を示す図である。
【図６】本発明のタグの構成例を示す図である。
【図７】本発明の権利情報の構成例を示す図である。
【符号の説明】
【００５２】
１  クライアント（端末）
２  コンテンツサーバ（コンテンツ提供手段）
３  広告サーバ（広告提供手段）
４  権利サーバ（権利付与手段）
５  ブログサーバ（記事記録提供手段）
６  広告活動参加者管理サーバ（広告活動参加者管理手段）
８  ネットワーク
１１  ドライバ
１２  保護エリア
１３  コンテンツプレイヤー
１５  制御部
２０  配信情報（コンテンツ）
２１  暗号化コンテンツ
２２  制御情報
２３  ドライバ入手用実行プログラム
３０  タブ
３１  配信情報特定情報
３２  広告活動者識別子
３３  制御情報
４０  権利情報
４１  複合化鍵
４２  広告再生条件
４３  コンテンツ再生条件
【図１】
2008186215.tif 000003
【図２】
2008186215.tif 000004
【図３】
2008186215.tif 000005
【図４】
2008186215.tif 000006
【図５】
2008186215.tif 000007
【図６】
2008186215.tif 000008
【図７】
2008186215.tif 000009